【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
非常電話ボックスの出入り口に一枚型の扉を備え、非常電話ボックスの天井面には扉と平行な第１のガイドレールと、扉の格納される方向の第２のガイドレールを備え、非常電話ボックスの床面には扉と平行なガイド溝を備え、扉の上端には、第１のガイドレールに沿って移動可能な第１の動滑車と、第２のガイドレールに沿って移動可能な第２の動滑車を備え、扉の第１の動滑車側の下端には、ガイド溝に沿って動く軸を備え、第１の動滑車と第２の動滑車には、それぞれ索状体の一端を固定し、各索状体の他端は転向部材を介して共通の中空パネル内の閉扉方向の付勢手段に個別に固定することを特徴とする非常電話ボックスの扉装置。
【請求項２】
前記索状体はワイヤロープであり、前記転向部材は樹脂滑車であることを特徴とする請求項１に記載の非常電話ボックスの扉装置。
【請求項３】
前記付勢手段は錘であることを特徴とする請求項１又は２に記載の非常電話ボックスの扉装置。
【請求項４】
前記中空パネルは、前記第２のガイドレール側の前記第１のガイドレールの延長線上に配置することを特徴とする請求項１〜３のいずれか１項に記載の非常電話ボックスの扉装置。
【手続補正２】
【補正対象書類名】明細書
【補正対象項目名】全文
【補正方法】変更
【補正の内容】
【発明の詳細な説明】
【発明の名称】非常電話ボックスの扉装置
【技術分野】
【０００１】
本発明は、出入り口に設けられる一枚型の扉による非常電話ボックスの扉装置に関する。
【背景技術】
【０００２】
従来、扉の開放時に、扉の両脇に扉を格納する十分なスペースが確保できないような限られたスペースで扉を前面に突出させずに内部に格納しなければならない制約を受けた自動閉鎖扉がある。例えば、このような制約を受けた扉を備えた構造物として、道路のトンネル坑内の箱抜き部に設置されている非常電話ボックスがある。
【０００３】
非常電話ボックスの扉は、中折れ式開閉扉で構成されている。中折れ式開閉扉は、扉を非常電話ボックスに回転可能にヒンジされる基部側扉と、基部側扉にヒンジ結合した開閉端側扉に等分したもので、開放状態では、基部側扉、開閉端側扉が折り畳まれた状態でボックス内部に格納される。さらに、基部側扉の回転可能なヒンジ部には、閉扉方向に付勢するための回転駆動機構であるオートヒンジが備えられている。
【発明の概要】
【発明が解決しようとする課題】
【０００４】
しかしながら、中折れ式開閉扉の回転駆動機構であるオートヒンジが経年による劣化で固着し、扉が開閉できなくなる状況が発生しており、オートヒンジを備えない開閉方式が要望されていた。
【０００５】
本発明は、このような点を鑑みて、扉の開放時に、限られたスペースで扉を前面に突出させることなく、内部に格納される自動閉鎖扉であって、オートヒンジを備えない非常電話ボックスの扉装置を提供することを目的としている。
【課題を解決するための手段】
【０００６】
前記目的を達成するために、本発明は、非常電話ボックスの出入り口に一枚型の扉を備え、非常電話ボックスの天井面には扉と平行な第１のガイドレールと、扉の格納される方向の第２のガイドレールを備え、非常電話ボックスの床面には扉と平行なガイド溝を備え、扉の上端には、第１のガイドレールに沿って移動可能な第１の動滑車と、第２のガイドレールに沿って移動可能な第２の動滑車を備え、扉の第１の動滑車側の下端には、ガイド溝に沿って動く軸を備え、第１の動滑車と第２の動滑車には、それぞれ索状体の一端を固定し、各索状体の他端は転向部材を介して共通の中空パネル内の閉扉方向の付勢手段に個別に固定することを特徴としている。
【０００７】
また、索状体はワイヤロープであり、転向部材は樹脂滑車であってもよい。
【０００８】
また、付勢手段は錘であってもよい。このように構成すれば、錘の重さを変えることにより、扉の自動閉鎖力を調整することができる。
【０００９】
また、中空パネルは、第２のガイドレール側の第１のガイドレールの延長線上に配置してもよい。
【発明の効果】
【００１０】
本発明によれば、オートヒンジを備えることなく、限られたスペースで扉を前面に突出することなく内部に格納される自動閉鎖扉を構成でき、扉の長寿命化が可能である。
【図面の簡単な説明】
【００１１】
【図１】本発明に係る非常電話ボックスの扉装置を備えた一実施形態を示す正面図である。
【図２】本発明に係る非常電話ボックスの扉装置を備えた一実施形態を示す平面図である。
【図３】図１に示すII−II矢視の拡大断面図である。
【図４】図１に示す扉の閉鎖状態を示す平面図である。
【図５】図１に示す扉の格納状態を示す平面図である。
【発明を実施するための形態】
【００１２】
以下、本発明の一実施形態を図面に基づいて説明する。以下の実施の形態では、非常電話ボックスの出入り口の自動閉鎖扉として構成された例を説明する。
【００１３】
図１、図２、図３に示すように、非常電話ボックス１は、出入り口に一枚型の扉２０を備えている。さらに非常電話ボックス１は、内部に非常電話機１０を備えている。非常電話ボックス１の天板３０には、扉２０と平行な第１のガイドレール３１と、第１のガイドレール３１の一方の先端側から扉２０の格納される方向の第２のガイドレール３２が固定されている。非常電話ボックス１の床板４０には、扉２０と平行なガイド溝４１を備えている。扉２０の上端には、第１のガイドレール３１に沿って移動可能な第１の動滑車２１と、第２のガイドレール３２に沿って移動可能な第２の動滑車２２が固定されており、扉２０は第１、第２の動滑車２１、２２を介して第１、第２のガイドレール３１、３２に吊り下げられている。さらに扉２０の第１の動滑車２１側の下端には、ガイド溝４１に沿って移動可能な軸２３が固定されている。さらに、第１の動滑車２１にはワイヤロープ５１の一端が固定されており、もう一端は樹脂滑車５５、５６を介して中空パネル６０内の錘５３に固定されている。第２の動滑車２２にはワイヤロープ５２の一端が固定されており、もう一端は樹脂滑車５７、５８、５９を介して中空パネル６０内の錘５４に固定されている。中空パネル６０は、第２のガイドレール３２を設ける側の第１のガイドレール３１の延長線上に配置されている。
【００１４】
索状体としての前記ワイヤロープ５１、５２はチェーンであってもよい。転向部材としての前記樹脂滑車５５、５６…５９は金属滑車であってもよい。付勢手段としての前記錘５３、５４はスプリングであってもよい。
【００１５】
図４に示すように、扉２０は錘５３、５４の閉扉方向の付勢力により常時閉まった状態にある。非常電話ボックスの利用者は、扉２０の取手２４を押して扉２０を開きボックス内に入室する。扉２０は全開時においては図５に示す位置に格納される。利用者が退室する際は、取手２５を引いて扉２０を開き退室する。扉２０は、利用者による開扉方向の付勢力がない状態では図４に示す位置まで自動閉鎖する。取手２４、２５は、扉２０の横桟に横向きに固定されている。
【００１６】
以上のように構成された一枚型の扉の非常電話ボックスの扉装置は、扉を前面に突出させることなく内部に格納できる。また、オートヒンジを備えていない構成のため、長寿命である。
【産業上の利用可能性】
【００１７】
本発明は、扉の開放時に、戸袋などの両脇に扉を格納する十分なスペースが確保できないような限られたスペースで扉を前面に突出させずに内部に格納しなければならない制約を受けた非常電話ボックスの一枚型の扉の自動閉鎖扉に利用可能である。
【符号の説明】
【００１８】
１…非常電話ボックス
１０…非常電話機
２０…扉
２１…第１の動滑車
２２…第２の動滑車
２３…軸
２４…取手
２５…取手
３０…天板
３１…第１のガイドレール
３２…第２のガイドレール
４０…床板
４１…ガイド溝
５１…ワイヤロープ
５２…ワイヤロープ
５３…錘
５４…錘
５５…樹脂滑車
５６…樹脂滑車
５７…樹脂滑車
５８…樹脂滑車
５９…樹脂滑車
６０…中空パネル
【手続補正３】
【補正対象書類名】図面
【補正対象項目名】図１
【補正方法】変更
【補正の内容】
【図１】
2019218832.tif 000001
【手続補正４】
【補正対象書類名】図面
【補正対象項目名】図２
【補正方法】変更
【補正の内容】
【図２】
2019218832.tif 000002